(57)【要約】  カーステレオ装置１において、前面部２ａに設けられた表示部３や操作部４の照明１０、１１の全消灯時に、手などがイルミネーションボタン４ｂの近傍に配置された近接センサ６の検知範囲に接近したら、イルミネーションボタン４ｂのみの照明１１を点灯させて、予め定めた所定時間以内にイルミネーションボタン４ｂが操作された場合は、表示部３や操作部４の照明１０を点灯し、予め定めた所定時間以内にイルミネーションボタン４ｂが操作されない場合はイルミネーションボタン４ｂの照明１１を消灯して全消灯に戻す。
2009113164.tif 000002
【特許請求の範囲】
【請求項１】
動作に関する情報を表示する表示手段と、入力操作を行う操作手段と、前記操作手段に照明を施す第１照明手段と、を備えた電子機器において、
前記表示手段の表示または非表示と前記第１照明手段の点灯または消灯を切り替える切替手段と、
前記切替手段に照明を施す第２照明手段と、
前記表示手段が非表示で前記第１照明手段および前記第２照明手段が消灯時に、前記第２照明手段のみを点灯させるか否かを検知する点灯検知手段と、
前記点灯検知手段が前記第２照明手段を点灯させると検知した際に、前記第２照明手段を点灯させる制御手段と、
を備えたことを特徴とする電子機器。
【請求項２】
前記点灯検知手段が、物体が前記操作手段の所定の範囲に接近したことを検知したことによるもの、物体が前記操作手段に接触又は押圧したことを検知したことによるもの、音声入力により所定のキーワードを検知したことによるもの、のうち少なくとも１つ以上で構成されていることを特徴とする請求項１に記載の電子機器。
【請求項３】
前記切替手段が、物体が前記切替手段の所定の範囲に接近したことを検知したことにより切り替えられるもの、物体が前記切替手段に接触又は押圧したことを検知したことにより切り替えられるもの、音声入力により所定のキーワードを検知したことにより切り替えられるもの、のうち少なくとも１つ以上で構成されていることを特徴とする請求項１に記載の電子機器。
【請求項４】
前記制御手段は、前記第２照明手段を点灯させた後、予め定めた所定時間の間前記切替手段が操作されない場合に前記第２照明手段を消灯させることを特徴とする請求項１乃至３のうちいずれか一項に記載の電子機器。
【請求項５】
前記制御手段は、前記表示手段と前記第１および第２照明手段が点灯後予め定めた所定時間の間前記操作手段が操作されない場合に前記表示手段と前記第１および第２照明手段を消灯させることを特徴とする請求項１乃至４のうちいずれか一項に記載の電子機器。
【発明の詳細な説明】
【技術分野】
【０００１】
本発明は、例えば機器の状態を表示する表示部や機器を操作する操作部を備えた電子機器に関する。
【背景技術】
【０００２】
従来、例えばカーステレオなどの車載機器においては、機器の状態を表示する表示部や機器を操作するボタンや摘みなどの操作部を機器の前面パネルに配置し、操作部のボタンや摘みなどは、周囲を照明したり自身を点灯させることによってボタンや摘みの位置を使用者に認識し易くしている。【０００３】
また、表示部や操作部は必要に応じて表示または非表示（点灯または非点灯）を切り替えるボタン等が設けられ、使用者が操作することで、これを切り替えることができるようになっている。【０００４】
このような表示または非表示（点灯または非点灯）を切り替える方法は、ボタン以外に特許文献１に記載の車両のスイッチ照明装置や特許文献２に記載の車載用テレビ装置などのようにセンサで手などの物体の接近を検出して、表示または非表示（点灯または非点灯）を切り替える方法が提案されている。
【特許文献１】特開平８−１１３０９８号公報
【特許文献２】実開平３−２６６３９号広報
【発明の開示】
【発明が解決しようとする課題】
【０００５】
近年、車両においては防犯上の理由から普段は機器の存在が外部から判別できないようにして操作時にのみ表示部や操作部を点灯したいという要求がある。そのために、従来は上述した表示または非表示（点灯または非点灯）を切り替えるボタン等で切り替えたり、または特許文献１または２に記載の方法を用いて手などの接近を検出して切り替えるという方法を用いていたが、以下のような問題点がある。【０００６】
まず、使用者が手動で切り替える場合は、点灯から消灯に切り替える場合は良いが、消灯から点灯に切り替える場合は、切替ボタン自身も消灯しているので判別できないことから切り替えに手間取ることがある。また、操作時以外は全て消灯せずに切替ボタンを認識させるためにそれのみを点灯している場合、完全な防犯対策となり得ない。【０００７】
また、特許文献１や２に記載の方法の場合は、偶然にセンサの近辺を物体が通過したなど使用者が意図しない場合でも表示部や操作部が点灯してしまうため、防犯性が低下してしまう。【０００８】
そこで、本発明は、例えば使用者が意図した場合に表示部の表示や操作部の点灯を行うことができ防犯性を高めた電子機器を提供することを課題とする。
【課題を解決するための手段】
【０００９】
上記課題を解決するために、請求項１に記載の電子機器は、動作に関する情報を表示する表示手段と、入力操作を行う操作手段と、前記操作手段に照明を施す第１照明手段と、を備えた電子機器において、前記表示手段の表示または非表示と前記第１照明手段の点灯または消灯を切り替える切替手段と、前記切替手段に照明を施す第２照明手段と、前記表示手段が非表示で前記第１照明手段および前記第２照明手段が消灯時に、前記第２照明手段のみを点灯させるか否かを検知する点灯検知手段と、前記点灯検知手段が前記第２照明手段を点灯させると検知した際に、前記第２照明手段を点灯させる制御手段と、を備えたことを特徴としている。
【図面の簡単な説明】
【００１０】
【図１】本発明の第１の実施例にかかるカーステレオ装置１の外観斜視図である。
【図２】図１に示されたカーステレオ装置の正面図である。
【図３】図１に示されたカーステレオ装置のブロック図である。
【図４】図１に示されたカーステレオ装置の表示部の表示または非表示と操作部のボタンや摘みなどの照明の点灯または消灯の制御を示したフローチャートである。
【図５】表示部と操作部の全消灯状態を示した説明図である。
【図６】イルミネーションボタンのみ点灯した状態を示した説明図である。
【符号の説明】
【００１１】
１        カーステレオ装置
３        表示部（表示手段）
４        操作部（操作手段）
４ｂ      イルミネーションボタン（切替手段）
５        マイコン（制御手段）
６        近接センサ（点灯検知手段）
１０      照明（第１照明手段）
１１      照明（第２照明手段）
【発明を実施するための最良の形態】
【００１２】
以下、本発明の一実施形態にかかる電子機器を説明する。本発明の一実施形態にかかる電子機器は、表示手段が非表示で第１照明手段および第２照明手段が消灯時に、点灯検知手段が検知した場合に第２照明手段のみを制御手段が点灯させるので、表示手段が非表示で操作手段が非点灯状態の時には、まず制御手段が第２照明手段を点灯させて切替手段のみを照明するので、使用者は意図して操作を行おうとしているかを確認することができ、また、意図しないで第２照明手段を点灯させた場合でも、点灯範囲が小さいために、外部からは視認しにくく全て点灯する場合と比較して防犯性が高くなる。【００１３】
また、点灯検知手段が、物体が操作手段の所定の範囲に接近したことを検知したことによるもの、物体が操作手段に接触又は押圧したことを検知したことによるもの、音声入力により所定のキーワードを検知したことによるもの、のうち少なくとも１つ以上で構成されていてもよい。このようにすることにより、物体が切替手段の所定の範囲に接近したことを検知したことで切替手段への照明の点灯を行えば、手などを機器の近くに動かすだけで切替手段のみの点灯が行われるので操作が容易になり、物体が切替手段に接触又は押圧したことを検知したことで切替手段への照明の点灯を行えば、確実に切替手段に接触又は押圧するまで点灯がされないために偶発的な点灯が少なくなり、音声入力により点灯を行えば、手などを動かすことなく点灯させることができる。また、これらのうち複数を組み合わせることで、より操作性を良くすることができる。【００１４】
また、切替手段が、物体が切替手段の所定の範囲に接近したことを検知したことにより切り替えられるもの、物体が切替手段に接触又は押圧したことを検知したことにより切り替えられるもの、音声入力により所定のキーワードを検知したことにより切り替えられるもの、のうち少なくとも１つ以上で構成されていてもよい。このようにすることにより、物体が切替手段の所定の範囲に接近したことを検知したことで表示手段の表示または非表示と照明手段の点灯および消灯を切り替えれば、手などを機器の近くに動かすだけで切り替えが行われるので操作が容易になり、物体が切替手段に接触又は押圧したことを検知したことで表示手段の表示または非表示と照明手段の点灯および消灯を切り替えれば、確実に切替手段に接触又は押圧するまで切り替えがされないために偶発的な切り替えが少なくなり、音声入力により表示手段の表示または非表示と照明手段の点灯および消灯を切り替えれば、手などを動かすことなく切り替えることができる。また、これらのうち複数を組み合わせることで、より操作性を良くすることができる。【００１５】
また、制御手段は、第２照明手段を点灯させた後、予め定めた所定時間の間切替手段が操作されない場合に第２照明手段を消灯させてもよい。このようにすることにより、偶発的に点灯した場合でも所定時間経過後には消灯するので、点灯時間を短時間とすることができ、防犯性を高めることができる。【００１６】
また、制御手段は、表示手段と第１および第２照明手段が点灯後予め定めた所定時間の間操作手段が操作されない場合に表示手段と第１および第２照明手段を消灯させてもよい。このようにすることにより、操作を行わない場合など必要の無いときに表示手段と操作手段を全て消灯することができ、防犯性を高めることができる。
【実施例】
【００１７】
本発明の一実施例にかかる電子装置としてのカーステレオ装置１を図１ないし図６を参照して説明する。カーステレオ装置１は車両の車室内のインパネなどに装着され、ラジオ放送やＣＤ（Compact Disc）やＤＶＤ（Digital Versatile Disc）などを視聴することができる装置である。図１はカーステレオ装置１の外観斜視図である。【００１８】
カーステレオ装置１は、図１に示すように偏平な箱状のケース２を備え、ケース２の前面部２ａには表示部３と、操作部４と、を備えている。【００１９】
表示手段としての表示部３は、液晶ディスプレイや蛍光表示管などにより構成され、カーステレオ装置１の動作状態などを表示する。【００２０】
操作手段としての操作部４は、複数のボタンや摘みなどで構成され、カーステレオ装置１の各種操作を行う。【００２１】
表示部３と操作部４について図２を参照して詳細に説明する。ケース２の前面部２ａは図２に示すように、表示部３と、操作部４として複数のボタン４ａ、４ｂ、４ｃ、４ｄ、４ｅ、４ｆ、４ｇ、４ｈ、４ｉと、摘み４ｊと、を備えている。複数のボタンのうち４ｂはイルミネーションボタンといい、表示部３の表示または非表示の切り替えや複数のボタン４ａ、４ｃ、４ｄ、４ｅ、４ｆ、４ｇ、４ｈ、４ｉと、摘み４ｊの照明１０の点灯または消灯の切り替えおよびイルミネーションボタン４ｂ自身の照明１１の点灯または消灯の切り替えを行う。すなわち、イルミネーションボタン４ｂが請求の範囲の切替手段に相当する。【００２２】
表示部３は上述したように液晶ディスプレイや蛍光表示管などにより構成されており、操作部４のイルミネーションボタン４ｂにより表示または非表示の切り替えが可能となっている。なお、表示部３自身の表示または非表示以外に外部からの光源により照明し、その照明が表示部３自身の表示または非表示と連動するようにしてもよい。【００２３】
ボタン４ａ、４ｃ、４ｄ、４ｅ、４ｆ、４ｇ、４ｈ、４ｉは、内部にＬＥＤ光源などの照明１０を持ち、その照明１０からの光がボタンに設けられた透過部から外部に透過することで照明される。イルミネーションボタン４ｂも同様に内部にＬＥＤ光源などの照明１１を持ち、その照明１１からの光がボタンに設けられた透過部から外部に透過することで照明される。摘み４ｊも内部に設けたＬＥＤ光源などの照明からの光を外周面から透過して照明される。すなわち、照明１０が請求の範囲における第１照明手段に相当し、照明１１が請求の範囲における第２照明手段に相当する。【００２４】
図３に、図１に示したカーステレオ装置１のブロック図を示す。【００２５】
制御手段としてのマイコン５はＣＰＵ（Central Processing Unit）やメモリなどを内蔵したマイクロコンピュータであり、カーステレオ装置１の全体制御を行い、本実施例では特に表示部３の表示または非表示の切り替えや操作部４の照明１０、１１の点灯または消灯の制御を行っている。【００２６】
点灯検知手段としての近接センサ６は、イルミネーションボタン４ｂの所定の範囲に手などの物体が接近したことを検知する赤外線センサであり、図２に示すように、イルミネーションボタン４ｂの近傍に配置されている。なお、近接センサ６は、１つでなく複数配置して前面部２ａの所定の範囲に接近したら検知するようにしてもよい。【００２７】
チューナ７は、ラジオ放送を受信するための受信装置であり、マイコン５がＯＮ／ＯＦＦや受信局の切り替えなどを行う。【００２８】
光ディスクドライブ８は、ＣＤやＤＶＤなどの光ディスクを再生する装置であり、マイコン５がＯＮ／ＯＦＦや再生や停止などの動作制御を行う。【００２９】
次に、上述した構成のカースレテオ装置１において、表示部３の表示または非表示と操作部４のボタンや摘みなどの光源の点灯または消灯の制御について図４のフローチャートを参照して説明する。図４のフローチャートはマイコン５にて実行される。【００３０】
まず、ステップＳ１において、カーステレオ装置１に電源が投入されてステップＳ２に進む。【００３１】
次に、ステップＳ２において、表示部３を表示状態にし、操作部４の照明１０、１１を点灯状態にしてステップＳ３に進む。以降表示部３を表示状態にし、操作部４の照明１０，１１を点灯状態にした状態を全点灯と呼ぶ。【００３２】
次に、ステップＳ３において、予め定めた所定時間の間操作部４が操作されない（無操作）か否かを判断し、操作されない場合（ＹＥＳの場合）はステップＳ４に進み、操作された場合（ＮＯの場合）はステップＳ２に戻る。【００３３】
次に、ステップＳ４において、ステップＳ３において予め定めた所定時間の間操作部４が操作されないので、図５に示すように、表示部３を非表示状態にし、操作部４の照明１０、１１を消灯状態にしてステップＳ５に進む。以降表示部３を非表示状態にし、操作部４の照明１０、１１を消灯状態にした状態を全消灯と呼ぶ。【００３４】
次に、ステップＳ５において、近接センサ６が、手などの物体を検知したか否かを判断し、検知した場合（ＹＥＳの場合）はステップＳ６に進み、検知しない場合（ＮＯの場合）はステップＳ４に戻る。つまり、全消灯の状態で使用者等が操作を行おうとしているかを検出している。すなわち、表示手段が非表示で第１照明手段および第２照明手段が消灯時に、第２照明手段のみを点灯させるか否かを検知している。要するに本実施例においては、手などの物体を検知することが第２照明手段のみを点灯させるか否かを検知することに相当する。【００３５】
次に、ステップＳ６において、図６に示すように、イルミネーションボタン４ｂの照明１１のみを点灯させて、ステップＳ７に進む。本実施例では、イルミネーションボタン４ｂ以外の操作部４に属するボタンや摘み等は一斉に照明１０の点灯または消灯が制御されるが、イルミネーションボタン４ｂの照明１１のみは独立して制御できるように構成されている。【００３６】
次に、ステップＳ７において、イルミネーションボタン４ｂが操作されたか否かを判断し、操作された場合はステップＳ２に戻り、操作されない場合はステップＳ８に進む。本実施例の場合、イルミネーションボタン４ｂが操作されたとはイルミネーションボタンに指等で触れて押した（押圧）ことを示す。【００３７】
次に、ステップＳ８において、予め定めた所定時間経過したか否かを判断し、経過した場合はステップＳ９に進み、経過していない場合はステップＳ６に戻る。つまり、イルミネーションボタン４ｂ点灯後所定時間の間に操作されているかを判断している。なお、本ステップの所定時間とステップＳ３の所定時間は同じ時間でもよいし、別々に設定してもよい。【００３８】
次に、ステップＳ９において、イルミネーションボタン４ｂの照明１１を消灯してステップＳ５に戻る。【００３９】
本実施例によれば、カーステレオ装置１において、前面部２ａに設けられた表示部３や操作部４の照明１０、１１の全消灯時に、手などがイルミネーションボタン４ｂの近傍に配置された近接センサ６の検知範囲に接近したら、イルミネーションボタン４ｂのみの照明１１を点灯させて、予め定めた所定時間以内にイルミネーションボタン４ｂが操作された場合は、表示部３や操作部４の照明１０を点灯し、予め定めた所定時間以内にイルミネーションボタン４ｂが操作されない場合はイルミネーションボタン４ｂの照明１１を消灯して全消灯に戻すので、イルミネーションボタン４ｂのみを点灯して、その後にイルミネーションボタン４ｂを操作させることで使用者が意図して操作部４を操作しようとしているかを確認することができ、意図せずにイルミネーションボタン４ｂのみが点灯しても点灯範囲が小さいために、外部から視認しにくく全て点灯する場合と比較して防犯性が高くなる。【００４０】
また、物体がイルミネーションボタン４ｂの所定の範囲に接近したことを検出したことでイルミネーションボタン４ｂの照明１１の点灯を行っているので、手などをイルミネーションボタン４ｂの近くに動かすだけでイルミネーションボタン４ｂのみの点灯が行われるので操作が容易になる。【００４１】
また、物体がイルミネーションボタン４ｂに接触又は押圧したことを検出したことで表示部３の表示または非表示と操作部４の照明１０の点灯および消灯を切り替えているので、確実にイルミネーションボタン４ｂに接触又は押圧するまで切り替えがされないために偶発的な切り替えが少なくなる。【００４２】
また、イルミネーションボタン４ｂの照明１１が、点灯後予め定めた所定時間経過時にはマイコン５によって消灯されるので、偶発的に点灯しても短時間で消灯することができ、防犯性を高めることができる。【００４３】
また、表示部３および操作部４の照明１０、１１が、点灯後予め定めた所定時間何も操作されない場合にはマイコン５によって消灯されるので、操作を行わない場合など必要の無いときに消灯することができ、防犯性を高めることができる。【００４４】
なお、上述した実施例では近接センサ６を用いていたが、操作部４（または前面部２ａ）のいずれかに接触したことを検知する静電センサなどの接触センサでイルミネーションボタン４ｂの照明１１を点灯するようにしてもよい。【００４５】
また、上述した実施例では近接センサ６を用いていたが、別途マイクを備え、マイクを通じて所定のキーワードが入力された場合にイルミネーションボタン４ｂの照明１１を点灯するようにしてもよい。つまり、音声認識を用いてもよい。さらに、近接センサ６、上述した接触センサ、および音声認識のうち複数を組み合わせてもよい。つまり、いずれかの方法で検知した場合はイルミネーションボタン４ｂの照明１１を点灯するようにしてもよい。【００４６】
また、イルミネーションボタン４ｂをボタンでなく、近接センサ６を用いた切り替え手段としてもよい。つまり、手などが所定範囲に接近したことを検知したら全点灯または全消灯を切り替えてもよい。【００４７】
また、イルミネーションボタン４ｂをボタンでなく、音声認識を用いてもよい。さらに、ボタン、近接センサ６、および音声認識のうち複数を組み合わせてもよい。つまり、いずれかの方法で全点灯と全消灯を切り替えるようにしてもよい。【００４８】
前述した実施例によれば、以下のカーステレオ装置１が得られる。【００４９】
（付記１）動作に関する情報を表示する表示部３と、入力操作を行う操作部４と、操作部４に照明を施す照明１０と、を備えたカーステレオ装置１において、
表示部３の表示または非表示と照明１０の点灯または消灯を切り替えるイルミネーションボタン４ｂと、
イルミネーションボタン４ｂに照明を施す照明１１と、
表示部３が非表示で照明１０および照明１１が消灯時に、照明１１のみを点灯させるか否かを検知する近接センサ６と、
近接センサ６が照明１１を点灯させると検知した際に、照明１１を点灯させるマイコン５と、
を備えたことを特徴とするカーステレオ装置１。【００５０】
このカーステレオ装置１によれば、使用者は意図して操作を行おうとしているかを確認することができ、また、意図しないで照明１１、つまりイルミネーションボタン４ｂを点灯させた場合でも、点灯範囲が小さいために、外部からは視認しにくく全て点灯する場合と比較して防犯性が高くなる。【００５１】
なお、前述した実施例は本発明の代表的な形態を示したに過ぎず、本発明は、実施例に限定されるものではない。すなわち、本発明の骨子を逸脱しない範囲で種々変形して実施することができる。
【図１】
2009113164.tif 000003
【図２】
2009113164.tif 000004
【図３】
2009113164.tif 000005
【図４】
2009113164.tif 000006
【図５】
2009113164.tif 000007
【図６】
2009113164.tif 000008
【国際調査報告】
2009113164.tif 000009
2009113164.tif 000010
2009113164.tif 000011
2009113164.tif 000012